(57)【特許請求の範囲】
【請求項１】
第１電源から有機発光ダイオードを経由して第２電源に流れる電流量を制御する画素を含む有機電界発光表示装置の駆動方法において、
前記画素を含む画素部の映像がブラック映像に切替えられるステップと、
前記ブラック映像に切替えられたとき、レベル信号が入力されるたびに前記第１電源の電圧を略等間隔で下降させ、前記ブラック映像が表示できるように、少なくとも４回順次下降させるステップと
を含み、
前記ブラック映像に切替えられるステップは、所定時間入力が行われずにスリープモードに切替えられるステップを含み、前記第１電源の電圧が順次下降させられる毎に所定の信号が入力されたか否かをチェックし、所定の信号が入力された場合に、通常電圧を有する第１電源が生成されて画面全体の前記画素に供給されるステップを含むことを特徴とする有機電界発光表示装置の駆動方法。
【請求項２】
前記ブラック映像に切替えられるステップは、電源がオフされるステップを含むことを特徴とする請求項１に記載の有機電界発光表示装置の駆動方法。
【請求項３】
走査線及びデータ線の交差部に位置し、第１電源から有機発光ダイオードを経由して第２電源に流れる電流量を制御する画素を含む画素部と、
前記画素部で表示される映像がブラック映像に切替えられたとき、画面切替信号を生成するタイミング制御部と、
前記画面切替信号が入力されたとき、少なくとも４個以上のレベル信号を順次生成する電圧制御部と、
前記レベル信号が入力されるたびに、前記第１電源の電圧を略等間隔で順次下降させる第１電源生成部と
を備え、
前記タイミング制御部は、少なくとも所定時間外部から入力が行われずにスリープモードに切替えられたときに前記画面切替信号を生成し、前記タイミング制御部は、前記第１電源生成部が第１電源の電圧を順次下降させる毎に所定の信号が入力されたか否かをチェックし、所定の信号が入力された場合に、前記画面切替信号の供給を中断し、前記第１電源生成部は、通常電圧を有する第１電源を生成して画面全体の前記画素に供給することを特徴とする有機電界発光表示装置。
【請求項４】
前記タイミング制御部は、電源がオフされたとき、前記画面切替信号を生成することを特徴とする請求項３に記載の有機電界発光表示装置。
【請求項５】
前記第１電源生成部は、前記画素部でブラック映像が表示されるまで、前記第１電源の電圧を下降させることを特徴とする請求項３に記載の有機電界発光表示装置。
【請求項６】
前記走査線に走査信号を供給するための走査駆動部と、
前記データ線にデータ信号を供給するためのデータ駆動部と
を備えることを特徴とする請求項３に記載の有機電界発光表示装置。
【発明の詳細な説明】
【技術分野】
【０００１】
本発明は、有機電界発光表示装置及びその駆動方法に関し、特に、滑らかに画面を切替えることができる有機電界発光表示装置及びその駆動方法に関する。
【背景技術】
【０００２】
近年、陰極線管（Ｃａｔｈｏｄｅ  Ｒａｙ  Ｔｕｂｅ）の短所である重量及び体積を低減することができる各種平板表示装置が開発されている。平板表示装置には、液晶表示装置（Ｌｉｑｕｉｄ  Ｃｒｙｓｔａｌ  Ｄｉｓｐｌａｙ）、電界放出表示装置（Ｆｉｅｌｄ  Ｅｍｉｓｓｉｏｎ  Ｄｉｓｐｌａｙ）、プラズマ表示パネル（Ｐｌａｓｍａ  Ｄｉｓｐｌａｙ  Ｐａｎｅｌ）、及び有機電界発光表示装置（Ｏｒｇａｎｉｃ  Ｌｉｇｈｔ  Ｅｍｉｔｔｉｎｇ  Ｄｉｓｐｌａｙ）などがある。
【０００３】
平板表示装置のうち、有機電界発光表示装置は、電子と正孔との再結合により光を発生する有機発光ダイオードを用いて映像を表示する。このような有機電界発光表示装置には、速い応答速度を有し、かつ、低消費電力で駆動されるという長所がある。
【０００４】
有機電界発光表示装置は、マトリクス状に配置される画素を用いて映像を表示する。画素の各々は、第１電源から有機発光ダイオードを経由して第２電源に流れる電流量を制御しながら、所定階調の映像を表示する。
【０００５】
このような有機電界発光表示装置は、パネルに同じ映像が長時間表示されることを防止するため、所定時間ユーザからの入力がない場合、スリープモード（例えば、ブラックを表示するモード）に切替えられる。しかし、従来の有機電界発光表示装置では、スリープモードへの切替時に輝度が急激に変化するため、ユーザにはそれがノイズ状に観測されてしまうという問題があった。同様に、従来の有機電界発光表示装置では、電源オフ時に輝度が急激に変化する問題があった。
【特許文献１】特開２００６−２７０４１２号公報
【特許文献２】韓国特許出願公開第２００６−０１２４１３２号明細書
【特許文献３】韓国特許出願公開第２００６−００３８０７７号明細書
【発明の開示】
【発明が解決しようとする課題】
【０００６】
そこで、本発明の目的は、滑らかに画面を切替えることができる有機電界発光表示装置及びその駆動方法を提供することにある。
【課題を解決するための手段】
【０００７】
本発明の実施形態に係る有機電界発光表示装置の駆動方法は、画素を含む画素部の映像がブラック映像に切替えられるステップと、前記ブラック映像に切替えられたとき、第１電源の電圧を、前記ブラック映像が表示できるように、少なくとも２回順次下降させるステップとを含む。
【０００８】
好ましくは、前記ブラック映像に切替えられるステップは、所定時間入力が行われずにスリープモードに切替えられるステップ、及び電源がオフされるステップを含む。
【０００９】
本発明の実施形態に係る有機電界発光表示装置は、走査線及びデータ線の交差部に位置し、第１電源から有機発光ダイオードを経由して第２電源に流れる電流量を制御する画素を含む画素部と、該画素部で表示される映像がブラック映像に切替えられたとき、画面切替信号を生成するタイミング制御部と、前記画面切替信号が入力されたとき、複数のレベル信号を順次生成する電圧制御部と、前記レベル信号が入力されるたびに、前記第１電源の電圧を順次下降させる第１電源生成部とを備える。
【００１０】
好ましくは、前記タイミング制御部は、所定時間外部から入力が行われずにスリープモードに切替えられたとき、及び電源がオフされたとき、前記画面切替信号を生成する。前記第１電源生成部は、前記画素部でブラック映像が表示されるまで、前記第１電源の電圧を下降させる。
【発明の効果】
【００１１】
本発明の有機電界発光表示装置及びその駆動方法によると、画素部でブラック映像を表示するとき、第１電源の電圧を順次下降させることにより、滑らかに画面を切替えることができる。
【発明を実施するための最良の形態】
【００１２】
以下、本発明の属する技術分野における通常の知識を有する者が本発明を容易に実施できる好ましい実施形態を、添付の図１〜図３を参照して詳細に説明する。
【００１３】
図１は、本発明の実施形態に係る有機電界発光表示装置を示す図である。
【００１４】
同図に示すように、本発明の実施形態に係る有機電界発光表示装置は、画素部３０と、走査駆動部１０と、データ駆動部２０と、タイミング制御部５０と、第１電源生成部６０と、電圧制御部７０とを備える。
【００１５】
画素部３０は、走査線Ｓ１〜Ｓｎ及びデータ線Ｄ１〜Ｄｍに接続された複数の画素４０を含む。このような画素部３０は、第１電源生成部６０から供給される第１電源ＥＬＶＤＤ及び外部から供給される第２電源ＥＬＶＳＳを画素４０に伝達する。第１電源ＥＬＶＤＤ及び第２電源ＥＬＶＳＳを受けた画素４０は、走査信号が供給されたときに選択され、データ信号に対応する輝度で発光する。
【００１６】
このため、画素４０の各々は、有機発光ダイオード（図示せず）と、有機発光ダイオードに電流を供給するための画素回路（図示せず）とを備える。画素回路は、少なくとも２つ以上のトランジスタ及びキャパシタを備える。このような画素回路は、データ信号に対応して、第１電源ＥＬＶＤＤから有機発光ダイオードを経由して第２電源ＥＬＶＳＳに供給される電流量を制御する。有機発光ダイオードは、画素回路から供給される電流量に対応して、赤色、緑色、または青色の光で発光する。
【００１７】
一方、図１では、説明の便宜上、画素４０が１本の走査線及び１本のデータ線に接続されるものとして示しているが、本発明はこれに限定されない。例えば、画素４０に備えられる画素回路の構成は、現在公知の様々な形態に設定され得、この場合、画素回路の構成に対応して、２本以上の走査線及び発光制御線（図示せず）が画素４０に追加的に接続可能である。
【００１８】
走査駆動部１０は、走査線Ｓ１〜Ｓｎに走査信号を順次供給することにより、走査線Ｓ１〜Ｓｎを駆動する。走査線Ｓ１〜Ｓｎに走査信号が順次供給されると、画素４０がライン単位で順次選択される。
【００１９】
データ駆動部２０は、データ線Ｄ１〜Ｄｍを駆動する。より具体的には、データ駆動部２０は、タイミング制御部５０から供給されるデータＤａｔａを用いてデータ信号を生成し、生成されたデータ信号を、走査信号が供給されるたびに、データ線Ｄ１〜Ｄｍに供給する。すると、走査信号により選択された画素４０にデータ信号が供給される。
【００２０】
タイミング制御部５０は、外部から供給される同期信号に対応して、データ駆動制御信号ＤＣＳ及び走査駆動制御信号ＳＣＳを生成する。タイミング制御部５０で生成されたデータ駆動制御信号ＤＣＳはデータ駆動部２０に供給され、走査駆動制御信号ＳＣＳは走査駆動部１０に供給される。このような方式により、タイミング制御部５０は、外部から供給される同期信号に対応して、走査駆動部１０及びデータ駆動部２０を制御する。また、タイミング制御部５０は、外部から供給されるデータＤａｔａを再整列してデータ駆動部２０に供給する。
【００２１】
ただし、本発明において、タイミング制御部５０は、画素部３０がブラック画面に切替えられたとき、画面切替信号を電圧制御部７０に供給する。例えば、タイミング制御部５０は、スリープモードまたは電源がオフされたとき、画面切替信号を電圧制御部７０に供給する。
【００２２】
電圧制御部７０は、タイミング制御部５０から供給される画面切替信号に対応して、第１電源生成部６０で生成される第１電源ＥＬＶＤＤの電圧レベルを制御する。このような電圧制御部７０は、タイミング制御部５０から画面切替信号が供給されたとき、複数のレベル信号を第１電源生成部６０に順次供給する。ここで、電圧制御部７０は、データ駆動部２０が集積回路の形態で構成されたとき、データ駆動部２０の内部に備えられることも可能である。第１電源生成部６０は、電圧制御部７０からのレベル信号に対応して、第１電源ＥＬＶＤＤを生成する。より具体的には、第１電源生成部６０は、レベル信号の入力がない場合、予め設定された電圧で第１電源ＥＬＶＤＤを生成し、生成された第１電源ＥＬＶＤＤを画素４０に供給する。また、第１電源生成部６０は、レベル信号が入力されるたびに、第１電源ＥＬＶＤＤの電圧を順次下降させる。例えば、電圧制御部７０から３回にわたってレベル信号が入力された場合、第１電源生成部６０は、３回にわたって第１電源ＥＬＶＤＤの電圧を順次下降させる。
【００２３】
図２は、図１における電圧制御部及び第１電源生成部の動作過程を示すフローチャートである。
【００２４】
同図に示すように、まず、タイミング制御部５０は、画素部３０の映像がブラック映像に切替えられたとき、例えば、スリープモードまたは電源がオフされたとき、画面切替信号を電圧制御部７０に供給する（Ｓ１００）。
【００２５】
ステップＳ１００で画面切替信号を受信した電圧制御部７０は、レベル信号を生成して第１電源生成部６０に供給する（Ｓ１０２）。
【００２６】
ステップＳ１０２でレベル信号を受信した第１電源生成部６０は、第１電源ＥＬＶＤＤの電圧を所定電圧だけ下降させて画素４０に供給する（Ｓ１０４）。
【００２７】
その後、タイミング制御部５０は、ユーザから所定の信号が入力された場合、例えば、スリープモードへの切替時にユーザから所定の信号が入力された場合、画面切替信号の供給を中断する（Ｓ１０６）。この場合、電圧制御部７０でレベル信号の供給が中断され、これにより、第１電源生成部６０は、通常電圧を有する第１電源ＥＬＶＤＤを生成して画素４０に供給する（Ｓ１０６、Ｓ１０８）。
【００２８】
一方、ステップＳ１０６でユーザからの入力がない場合、電圧制御部７０では、レベル信号の追加供給の有無を判断する（Ｓ１１０）。
【００２９】
ステップＳ１１０でレベル信号が追加供給されると、ステップＳ１０２〜ステップＳ１１０を繰り返す。そして、ステップＳ１１０でレベル信号の追加供給がない場合、すなわち、第１電源ＥＬＶＤＤの電圧がブラックを表示する電圧まで十分に下降した場合、画素部３０では、ブラック画面が表示される（Ｓ１１２）。
【００３０】
一方、電圧制御部７０は、第１電源ＥＬＶＤＤの電圧が急激に下降しないように、少なくとも２回以上レベル信号を第１電源生成部６０に供給する。すると、第１電源ＥＬＶＤＤの電圧は、少なくとも２回以上下降する。
【００３１】
図３は、第１電源の電圧に対応する輝度及び有機発光ダイオードに流れる電流量を示すグラフである。表１は、図３のグラフを表に示したものである。
【００３２】
【表１】
0004851479.tif 000002
【００３３】
表１及び図３は、２．１型のパネルにおいて、第１電源ＥＬＶＤＤの電圧を徐々に下降させた場合の、有機発光ダイオードに流れる電流及び輝度を実験的に示したものである。
【００３４】
表１及び図３に示すように、電圧制御部７０は、レベル信号を１７回にわたって第１電源生成部６０に供給する。この場合、第１電源生成部６０は、レベル信号が入力されるたびに、第１電源ＥＬＶＤＤの電圧を０．１Ｖずつ下降させる。一方、レベル信号は、供給されるたびに、同一信号に設定されるか、他の信号に設定可能である。例えば、レベル信号は、１７の異なるレベルを有する電圧または１７の異なるビットを有するデータなどに設定可能である。
【００３５】
第１電源ＥＬＶＤＤの電圧が０．１Ｖずつ下降すると、有機発光ダイオードに流れる電流ＩＥＬが減少する。有機発光ダイオードに流れる電流ＩＥＬが減少すると、画素４０の輝度Ｌも徐々に減少する。
【００３６】
すなわち、本発明では、画素部４０でブラックを表示する場合、第１電源ＥＬＶＤＤの電圧を少なくとも２回以上徐々に下降させることにより、自然な画面の切替が行われるようにする。
【図面の簡単な説明】
【００３７】
【図１】本発明の実施形態に係る有機電界発光表示装置を示す図である。
【図２】図１における電圧制御部及び第１電源生成部の動作過程を示すフローチャートである。
【図３】第１電源の電圧に対応する輝度及び有機発光ダイオードに流れる電流量を示すグラフである。
【符号の説明】
【００３８】
１０  走査駆動部
２０  データ駆動部
３０  画素部
４０  画素
５０  タイミング制御部
６０  第１電源生成部
７０  電圧制御部
【図１】
0004851479.tif 000003
【図２】
0004851479.tif 000004
【図３】
0004851479.tif 000005